(57)【特許請求の範囲】
【請求項１】
ＦＰＣ／ＦＦＣに接触する複数のコンタクトを有するインシュレータと；
このインシュレータに対しロック位置とアンロック位置との間の回動操作が可能で、そのロック位置では弾性変形するコンタクト群とＦＰＣ／ＦＦＣとの接触圧力を受けるアクチュエータと；
を有するＦＰＣ／ＦＦＣ用コネクタにおいて、
上記複数のコンタクトは、ＦＰＣ／ＦＦＣ挿入溝を構成する、ＦＰＣ／ＦＦＣとの接触脚とこの接触脚に対応するスタビライザ脚とを有し、互いに平行に整列する第一のコンタクト群と第二のコンタクト群とからなり、
この第一、第二のコンタクト群は、その接触脚がＦＰＣ挿入方向の手前側と奥側に一つおきに整列する手前側コンタクト群と奥側コンタクト群であり、
上記アクチュエータには、奥側コンタクトと手前側コンタクトのそれぞれのスタビライザ脚に対応させて奥側コンタクト収納溝と手前側コンタクト収納溝が形成されていて、これらの奥側コンタクト収納溝内に、上記回動操作軸を中心とする断面円形のばね受け部が形成され、手前側コンタクト収納溝内に挿入突起が形成されており、
上記奥側コンタクト群のスタビライザ脚は、アクチュエータがアンロック位置とロック位置との間で回動するとき、アクチュエータの上記ばね受け部に係合して弾性変形される弾性変形脚であって、その先端部に該ばね受け部を抜け止める鈎部を有し、
上記手前側コンタクト群のスタビライザ脚は、アクチュエータがロック位置に回動してその挿入突起が該スタビライザ脚とＦＰＣ／ＦＦＣとの間に入り込んだとき、弾性変形する両コンタクト群の接触脚からの力を受けてＦＰＣ／ＦＦＣとの接触圧力を生じさせる固定脚であり、
上記アクチュエータは、該アクチュエータをアンロック方向への回動端からロック方向へ回動するときＦＰＣ／ＦＦＣを押圧する、上記挿入突起の先端部及び奥側コンタクト収納溝と手前側コンタクト収納溝間の隔壁先端部によって形成される、上記断面円形のばね受け部より上記回動操作軸から離れた先端側に突出する押圧突起を有していて、この押圧突起は、アクチュエータがロック位置に位置するとき奥側コンタクトの接触脚との間にＦＰＣ／ＦＦＣを挟み、
上記ばね受け部は、この押圧突起が最大にＦＰＣ／ＦＦＣを接触脚側に押圧変形させるとき奥側コンタクト群の弾性変形脚を最大に弾性変形させ、その前後では、弾性変形量を減少させ、かつ、上記奥側コンタクト群の弾性変形脚の最大変位は、アクチュエータがインシュレータと直交する位置よりロック側へ回動した位置で生じ、アクチュエータにロック方向へのクリック回動力を生じさせることを特徴とするＦＰＣ／ＦＦＣ用コネクタ。
【請求項２】
請求項１記載のＦＰＣ／ＦＦＣ用コネクタにおいて、上記アクチュエータのロック位置はインシュレータと略平行となる位置であり、アンロック方向の回動端は、該アクチュエータがインシュレータと直交する位置を超えているＦＰＣ／ＦＦＣ用コネクタ。
【発明の詳細な説明】
【０００１】
【技術分野】
本発明は、フレキシブルプリント回路基板（ＦＰＣ）やフレキシブルフラットケーブル（ＦＦＣ）とコンタクト群（基板）とを接続する際に用いるコネクタに関する。
【０００２】
【従来技術およびその問題点】
ＦＰＣ／ＦＦＣ用コネクタは、インシュレータに、ＦＰＣ／ＦＦＣと基板とを導通させる複数のコンタクトを支持し、このコンタクト群とインシュレータに挿入されたＦＰＣ／ＦＦＣとを、ロック位置とアンロック位置との間を回動操作自在に支持されたアクチュエータ（スライダ）によって接触させている（接触圧力を得ている）。
【０００３】
このＦＰＣ／ＦＦＣ用コネクタでは、アクチュエータの回動操作性と、十分な接触圧力をバランスよくとることが困難であった。特に、最近のコネクタは極限までの小型化が進行しており、またコンタクト群の配列ピッチを狭めるため、コンタクト群を千鳥状に二列に配列することが一般的に行われているため、この困難性が高い。
【０００４】
【発明の目的】
本発明は従って、アクチュエータをロック位置とアンロック位置に回動させる回動タイプのＦＰＣ／ＦＦＣ用コネクタにおいて、回動操作性と高い接触圧力とをバランスよく備えたコネクタを得ることを目的とする。
【０００５】
【発明の概要】
本発明は、ＦＰＣ／ＦＦＣに接触する複数のコンタクトを有するインシュレータと；このインシュレータに対しロック位置とアンロック位置との間の回動操作が可能で、そのロック位置では弾性変形するコンタクト群とＦＰＣ／ＦＦＣとの接触圧力を受けるアクチュエータと；を有するＦＰＣ／ＦＦＣ用コネクタにおいて、上記複数のコンタクトは、ＦＰＣ／ＦＦＣ挿入溝を構成する、ＦＰＣ／ＦＦＣとの接触脚とこの接触脚に対応するスタビライザ脚とを有し、互いに平行に整列する第一のコンタクト群と第二のコンタクト群とからなり、この第一、第二のコンタクト群は、その接触脚がＦＰＣ挿入方向の手前側と奥側に一つおきに整列する手前側コンタクト群と奥側コンタクト群であり、上記アクチュエータには、奥側コンタクトと手前側コンタクトのそれぞれのスタビライザ脚に対応させて奥側コンタクト収納溝と手前側コンタクト収納溝が形成されていて、これらの奥側コンタクト収納溝内に、上記回動操作軸を中心とする断面円形のばね受け部が形成され、手前側コンタクト収納溝内に挿入突起が形成されており、上記奥側コンタクト群のスタビライザ脚は、アクチュエータがアンロック位置とロック位置との間で回動するとき、アクチュエータの上記ばね受け部に係合して弾性変形される弾性変形脚であって、その先端部に該ばね受け部を抜け止める鈎部を有し、上記手前側コンタクト群のスタビライザ脚は、アクチュエータがロック位置に回動してその挿入突起が該スタビライザ脚とＦＰＣ／ＦＦＣとの間に入り込んだとき、弾性変形する両コンタクト群の接触脚からの力を受けてＦＰＣ／ＦＦＣとの接触圧力を生じさせる固定脚であり、上記アクチュエータは、該アクチュエータをアンロック方向への回動端からロック方向へ回動するときＦＰＣ／ＦＦＣを押圧する、上記挿入突起の先端部及び奥側コンタクト収納溝と手前側コンタクト収納溝間の隔壁先端部によって形成される、上記断面円形のばね受け部より上記回動操作軸から離れた先端側に突出する押圧突起を有していて、この押圧突起は、アクチュエータがロック位置に位置するとき奥側コンタクトの接触脚との間にＦＰＣ／ＦＦＣを挟み、上記ばね受け部は、この押圧突起が最大にＦＰＣ／ＦＦＣを接触脚側に押圧変形させるとき奥側コンタクト群の弾性変形脚を最大に弾性変形させ、その前後では、弾性変形量を減少させ、かつ、上記奥側コンタクト群の弾性変形脚の最大変位は、アクチュエータがインシュレータと直交する位置よりロック側へ回動した位置で生じ、アクチュエータにロック方向へのクリック回動力を生じさせることを特徴としている。
【０００７】
大略平板状のアクチュエータのロック位置は、同じく大略平板状のインシュレータと略平行となる位置である。アクチュエータのアンロック方向の回動端は、例えば、該アクチュエータがインシュレータと直交する位置を超えるように設定し、奥側コンタクト群の弾性変形脚の最大変位が、アクチュエータがインシュレータと直交する位置よりロック側へ回動した位置で生じさせると、ロック位置への好ましいクリック感が得られる。
【０００９】
【発明の実施形態】
図１ないし図８は、本発明によるＦＰＣ／ＦＦＣ用コネクタの第一の実施形態を示す。絶縁材料製の全体として基板Ｂと平行な平板状をなすインシュレータ１０には、左右に一対の回動支持部１１が形成されており、この左右の回動支持部（アーム）１１の間に、同じく絶縁材料製の大略平板状をなすアクチュエータ２０の左右の回動支持部２１が回動自在に支持されている。２１Ｘ（図３、図５）はその回動中心軸を示す。アクチュエータ２０をこの回動支持部２１（１１）を中心に回動させると、ＦＰＣ／ＦＦＣ５０（図５、図６）を載置（挿入）するＦＰＣ／ＦＦＣ載置面１０Ｓ（図５、図６、図８）が開閉される。すなわち、このＦＰＣ／ＦＦＣ載置面１０Ｓは、アクチュエータ２０をロック位置に回動させると閉じられ、アンロック位置に回動させると開く。アクチュエータ２０の回動中心軸２１Ｘは、インシュレータ１０の回動支持部１１に対して若干の移動ができる（遊びがある）。
【００１０】
インシュレータ１０には、第一のコンタクト群３０を収納するコンタクト収納溝１２と、第二のコンタクト群４０を収納するコンタクト収納溝１３とが所定間隔で一つおきに整列させて形成されている。
【００１１】
図７に単体形状を示すように、第一のコンタクト群３０はそれぞれ、基板Ｂ上のランドＢＬに半田付けされる半田付け脚３０ａ、ＦＰＣ／ＦＦＣ載置面１０Ｓに臨む接触脚３０ｂ、及びこの接触脚３０ｂに対向するスタビライザ脚３０ｃを備えている。同様に、第二のコンタクト群４０はそれぞれ、基板Ｂ上のランドＢＬに半田付けされる半田付け脚４０ａ、ＦＰＣ／ＦＦＣ載置面１０Ｓに臨む接触脚４０ｂ、及びこの接触脚４０ｂに対向するスタビライザ脚４０ｃを備えている。スタビライザ脚４０ｃの先端部には、下向きの鈎部４０ｄが形成されている。第一のコンタクト群３０の接触脚３０ｂとスタビライザ脚３０ｃ、及び第二のコンタクト群４０の接触脚４０ｂとスタビライザ脚３０ｃはそれぞれ一端部が接続され、他端部が開放された扁平なコ字状をなしていて、ＦＰＣ／ＦＦＣ挿入溝３０ｓ、４０ｓを構成している。接触脚３０ｂと接触脚４０ｂは、ＦＰＣ挿入方向の手前側と奥側に位置するので、第一のコンタクト群３０を手前（フロント）側コンタクト群、第二のコンタクト群４０を奥（リア）側コンタクト群とする。手前側弾性接触脚３０ｂと奥側弾性接触脚４０ｂは、平面的にみると、千鳥状に配置されている。
【００１２】
アクチュエータ２０には、その回動支点軸２１Ｘ近傍に位置させて、インシュレータ１０のコンタクト収納溝１２と１３の延長方向上にそれぞれ位置するコンタクト収納溝２２と２３が形成されている。図７に明らかなように、このコンタクト収納溝２２と２３は、一つおきに順番に形成されている。手前側コンタクト群３０のスタビライザ脚３０ｃの先端部は、このコンタクト収納溝２２に嵌まり、奥側コンタクト群４０のスタビライザ脚４０ｃは、このコンタクト収納溝２３に嵌まっている。また、アクチュエータ２０には、回動中心軸２１Ｘに関し着力部の反対側に、ＦＰＣ／ＦＦＣ５０を押圧する押圧突起２４が形成されている。この実施形態では、アクチュエータ２０のロック位置はインシュレータ１０と略平行となる位置（ＦＰＣ／ＦＦＣ載置面５０Ｓを閉じる位置）であり、アンロック方向の回動端は、該アクチュエータ２０がインシュレータと直交する位置を超えている。押圧突起２４は、アクチュエータ２０がインシュレータ１０と直交する位置よりロック位置側へ回動したとき、ＦＰＣ／ＦＦＣ５０を最大に接触脚３０ｂ、４０ｂ側に弾性変形させる位置（形状）に形成されている。
【００１３】
各コンタクト収納溝２２内には、挿入突起２２ａが形成され、各コンタクト収納溝２３内には、ばね受け部２３ａが形成されている。ばね受け部２３ａは実質的に回動中心軸２１Ｘを中心とする円形断面形状である。挿入突起２２ａと手前側コンタクト群３０のスタビライザ脚３０ｃとの関係は、アクチュエータ２０がロック位置に回動してその挿入突起２２ａがスタビライザ脚３０ｃとＦＰＣ／ＦＦＣ５０との間に入り込んだとき、手前側と奥側のコンタクト群の接触脚３０ｂと接触脚４０ｂを、ＦＰＣ／ＦＦＣ５０に接触させる（接触圧力を生じさせる）関係にある。すなわち、スタビライザ脚３０ｃは実質的に固定脚である。図５及び図７に明らかなように、上述の押圧突起２４は、この挿入突起２２ａの先端部及び奥側コンタクト収納溝２３と手前側コンタクト収納溝２２間の隔壁先端部によって形成されており、奥側コンタクト収納溝２３部分（ばね受け部２３ａ）には形成されていない。一方、ばね受け部２３ａは、奥側コンタクト群４０のスタビライザ脚４０ｃの先端に形成した鈎部４０ｄに嵌まって抜け止められている。アクチュエータ２０は、このスタビライザ脚４０ｃの鈎部４０ｄと円形断面のばね受け部２３ａとの係合関係によって、回動中心軸２１Ｘを中心に回動可能である。さらに、このばね受け部２３ａと奥側コンタクト群４０のスタビライザ脚４０ｃ（鈎部４０ｄ）との関係は、アクチュエータ２０をアンロック位置とロック位置との間で回動させ、押圧突起２４によりＦＰＣ／ＦＦＣ５０を押圧変形させると、ＦＰＣ／ＦＦＣ５０の反力によりスタビライザ脚４０ｃが弾性変形し、アクチュエータ２０にロック方向への回動力を加える関係にある。すなわち、スタビライザ脚４０ｃは弾性変形脚である。アクチュエータ２０の回動支持部２１と、インシュレータ１０の回動支持部１１との間には、前述のように、ばね受け部２３ａ（アクチュエータ２０）の以上の移動を許す遊びがある。
【００１４】
上記構成の本ＦＰＣ／ＦＦＣ用コネクタは、アクチュエータ２０を回動支持部２１（１１）を中心にインシュレータ１０上でアンロック方向に回動させてＦＰＣ／ＦＦＣ載置面１０Ｓを開き、その状態でＦＰＣ／ＦＦＣ５０をＦＰＣ／ＦＦＣ挿入溝３０ｓと４０ｓの間に挿入する（図５（Ａ）、図６（Ａ））。そして、ＦＰＣ／ＦＦＣ５０を挿入した後、アクチュエータ２０をロック位置に回動させると、押圧突起２４がＦＰＣ／ＦＦＣ５０を接触脚３０ｂ、４０ｂ側に弾性変形させ、その反力を受けるばね受け部２３ａがスタビライザ脚４０ｃを弾性変形させる。押圧突起２４は、アクチュエータ２０がインシュレータ１０と直交する位置よりロック側へ回動した位置（図５（Ｂ））において、ＦＰＣ／ＦＦＣ５０を最大に接触脚３０ｂ、４０ｂ側に弾性変形させるので、スタビライザ脚４０ｃの最大弾性変位もこのときに生じ、アクチュエータ２０にロック方向の回動力を与える（図５（Ｃ））。このため、好ましいクリック感でアクチュエータ２０をロック位置に回動させることができる（図５（Ｄ））。そして、図５（Ｄ）のようにアクチュエータ２０をロック位置に回動させた状態では、押圧突起２４が奥側コンタクト４０の接触脚４０ｄとの間にＦＰＣ／ＦＦＣ５０を挟み込んで安定した導通が得られる。
【００１５】
一方、アクチュエータ２０がロック位置に回動した状態では、その挿入突起２２ａがスタビライザ脚３０ｃとＦＰＣ／ＦＦＣ５０との間に入り込み、ＦＰＣ／ＦＦＣ５０を接触脚３０ｂと４０ｂ側に押圧し、該接触脚３０ｂと４０ｂを弾性変形させて、ＦＰＣ／ＦＦＣ５０に接触させる（接触圧力を生じさせる）（図６（Ｂ））。
【００１６】
このように、本実施形態では、奥側コンタクト群４０のスタビライザ脚４０ｃは主にアクチュエータ２０にロック方向（閉じ方向）への力を生じさせる弾性接触脚として作用し、手前側コンタクト群３０のスタビライザ脚３０ｃは、主に、挿入突起２２ａを介して、ＦＰＣ／ＦＦＣ５０と、接触脚３０ｂ、４０ｂとの接触圧力を与えるため、回動操作性と高い（十分な）接触圧力とをバランスよく備えたコネクタが得られる。奥側コンタクト群４０のスタビライザ脚４０ｃに、アクチュエータ２０のロック位置における接触圧力付与機能を与えるか否かは、問わない。すなわち、ロック位置において、スタビライザ脚４０ｃがアクチュエータ２０をＦＰＣ／ＦＦＣ５０側に押圧付勢する弾性を有するか否かは、自由に設計できる。
【００１８】
【発明の効果】
以上のように本発明によれば、回動タイプのアクチュエータを有するＦＰＣ／ＦＦＣ用コネクタにおいて、回動操作性と高い接触圧力とをバランスよく備えたコネクタが得られる。
【図面の簡単な説明】
【図１】本発明によるＦＰＣ／ＦＦＣコネクタの一実施形態を示す平面図である。
【図２】同正面図である。
【図３】図１のIII‐III線に沿う断面図である。
【図４】図１のIV‐IV線に沿う断面図である。
【図５】アクチュエータを回動操作するときの状態変化を示す、図３の断面状態における断面図である。
【図６】アクチュエータを回動操作するときの状態変化を示す、図４の断面状態における断面図である。
【図７】アクチュエータと、各一つの手前側コンタクト及び奥側コンタクトの関係を示す斜視図である。
【図８】図１のＦＰＣ／ＦＦＣコネクタの斜視図である。
【符号の説明】
Ｂ 基板
１０ インシュレータ
１１ 回動支持部
１２ １３ コンタクト収納溝
２０ アクチュエータ
２１ 回動支持部
２１Ｘ 回動中心軸
２２ 奥側コンタクト収納溝
２３ 手前側コンタクト収納溝
２２ａ 挿入突起
２３ａ ばね受け部
２３ａ’ カム部
２４ 押圧突起
３０ 第一のコンタクト群（手前側コンタクト群）
４０ 第二のコンタクト群（奥側コンタクト群）
３０ａ ４０ａ 半田付け脚
３０ｂ ４０ｂ 接触脚
３０ｃ スタビライザ脚（固定脚）
４０ｃ スタビライザ脚（弾性変形脚）
４０ｄ 鈎部
３０ｓ ４０ｓ ＦＰＣ／ＦＦＣ挿入溝
５０ ＦＰＣ／ＦＦＣ
５０Ｓ ＦＰＣ／ＦＦＣ載置面
【図１】
0003722725.tif 000002
【図２】
0003722725.tif 000003
【図３】
0003722725.tif 000004
【図４】
0003722725.tif 000005
【図５】
0003722725.tif 000006
【図６】
0003722725.tif 000007
【図７】
0003722725.tif 000008
【図８】
0003722725.tif 000009